(57)【要約】液体栄養補給剤を計量するための方法および装置が開示され、一人用の用量の所定回数分の液体栄養補給剤を収容する本体と、本体の首部に結合された小児安全キャップの如きキャップと、キャップに結合された用量カップとを有する液体ディスペンサを提供する。用量カップは、キャップの軸方向隆起に係合するように構成された係合面をそれぞれ有する少なくとも４つの軸方向肩をその内面に有する。用量カップは、用量カップをキャップから取り外すのに、用量カップの重量より所定の量だけ大きい力が必要とされるように、キャップに結合され、利用者が所定の期間に服用する一人用の用量の液体栄養補給剤の一回分を指示するように構成された指示器が用量カップに設けられる。
2005532235.tif 000002
【特許請求の範囲】
【請求項１】
液体栄養補給剤を計量するための方法であって、
少なくとも１つのねじをその上に有する首部を有する本体と、
前記首部に結合し、利用者が、前記首部からキャップを回転可能に取り外すために前記キャップを押し下げなければならないように前記ねじと協働するように構成されたキャップであって、その外周に複数の軸方向隆起を有するキャップと、
前記キャップの結合するように構成された用量カップと、
各々が、前記軸方向隆起に係合するように構成された係合面を有し、前記係合面は、前記用量カップの基部から始まり、前記用量カップの壁に向かって細くなる、前記用量カップの内面上の少なくとも４つの軸方向肩とを備えた液体ディスペンサを設けること、
前記用量カップを前記キャップから取り外すのに、前記用量カップの重量より所定の量だけ大きい力が必要とされるように、前記用量カップを前記キャップに結合すること、および
利用者が所定の期間に服用する前記液体栄養補給剤の一人用の用量を指示するように構成された指示器を前記用量カップに設けることを含む方法。
【請求項２】
前記液体栄養補給剤は、食事補給剤、ビタミン補給剤、および関節医療補給剤よりなる群から選択される請求項１に記載の方法。
【請求項３】
一人用の用量の所定の回数分の前記液体栄養補給剤を前記本体に供給することをさらに含む請求項１に記載の方法。
【請求項４】
一人用の用量の整数回数分の前記液体栄養補給剤を前記本体に供給することをさらに含む請求項１に記載の方法。
【請求項５】
利用者が前記液体ディスペンサを容易に操作するための一対の対向凹部を前記本体の前記首部近傍に設けることをさらに含む請求項１に記載の方法。
【請求項６】
前記キャップは小児安全キャップである請求項１に記載の方法。
【請求項７】
二対の直径対向する軸方向肩を前記用量カップに設け、前記用量カップを前記キャップに結合したときに、各々の肩の対の係合面上の直径対向点の間の距離が、前記キャップの前記軸方向隆起の外面の直径よりわずかに小さくなることをさらに含む請求項１に記載の方法。
【請求項８】
前記用量カップを前記キャップに結合したときに、前記キャップの前記軸方向隆起の外径よりわずかに小さい直径を有する円に前記係合面を対応させることをさらに含む請求項１に記載の方法。
【請求項９】
各指示器が前記液体栄養補給剤の一人用の用量を指示するように構成された複数の指示器を前記用量カップに設けることをさらに含む請求項１に記載の方法。
【請求項１０】
前記用量カップを前記キャップに結合したときに、前記本体の上部のテーパと実質的に一致するテーパを前記用量カップの壁に設けることをさらに含む請求項１に記載の方法。
【請求項１１】
液体栄養補給剤を計量するための方法であって、
各容器が、剥離蓋を有し、一人用の用量の前記液体補給剤を収容する複数の容器を設けること、および
結合されたすべての前記容器が、所定の期間にわたる必要な全用量に匹敵するように、前記容器を互いに結合させることを含む方法。
【請求項１２】
前記液体栄養補給剤は、食事補給剤、ビタミン補給剤、および関節医療補給剤よりなる群から選択される請求項１１に記載の方法。
【請求項１３】
液体栄養補給剤を計量するためのディスペンサであって、
少なくとも１つのねじをその上に有する首部を有する本体と、
前記首部に結合するように構成され、その外周に複数の軸方向隆起を有する小児安全キャップと、
利用者が、用量カップを前記小児安全キャップから取り外すのに、前記用量カップの重量より所定の量だけ大きい力を前記用量カップに加えなければならないように、前記小児安全キャップに結合するように構成された用量カップと、
各々が、前記軸方向隆起に係合するように構成された係合面を有し、前記係合面は、前記用量カップの基部から始まり、前記用量カップの壁に向かって細くなる、前記用量カップの内面上の少なくとも４つの軸方向肩とを備えたディスペンサ。
【請求項１４】
前記液体栄養補給剤は、食事補給剤、ビタミン補給剤、および関節医療補給剤よりなる群から選択される請求項１３に記載のディスペンサ。
【請求項１５】
前記本体は、一人用の用量の整数回数分の前記液体栄養補給剤を保持するように構成される請求項１３に記載のディスペンサ。
【請求項１６】
前記本体は、利用者が前記液体ディスペンサを容易に操作するための一対の対向凹部を前記本体の前記首部近傍に含む請求項１３に記載のディスペンサ。
【請求項１７】
前記少なくとも４つの軸方向肩は、二対の直径対向する軸方向肩を備え、前記用量カップを前記キャップに結合したときに、各々の肩の対の内面上の直径対向点の間の距離が、前記小児安全キャップの前記軸方向隆起の外面の直径よりわずかに小さくなる請求項１３に記載のディスペンサ。
【請求項１８】
前記少なくとも４つの軸方向肩は、それぞれ、前記用量カップを前記小児安全キャップに結合したときに、前記小児安全キャップの前記軸方向隆起の外径よりわずかに小さい直径を有する円に合致する内面を有する請求項１３に記載のディスペンサ。
【請求項１９】
前記内面は、滑らかな錘形で、前記軸方向肩の他には凸部のない請求項１３に記載のディスペンサ。
【請求項２０】
前記用量カップは、前記液体栄養補給剤の一人用の用量を指示するように構成された指示器を含む請求項１３に記載のディスペンサ。
【請求項２１】
前記用量カップは、各指示器が、前記液体栄養補給剤の一人用の用量を指示するように構成された複数の指示器を含む請求項１３に記載のディスペンサ。
【請求項２２】
前記一人用の用量は、利用者の所定の期間の必要用量を含む請求項２０に記載のディスペンサ。
【請求項２３】
前記本体は、それぞれ等しい量を有する複数の用量に等しい量の前記液体栄養補給剤を収容する請求項２０に記載のディスペンサ。
【請求項２４】
前記用量カップの壁は、前記用量カップを前記小児安全キャップに結合したときに、前記本体の上部のテーパと実質的に一致するテーパを含む請求項２０に記載のディスペンサ。
【請求項２５】
前記小児安全キャップは、利用者が、前記小児安全キャップを前記首部から回転可能に取り外すために、前記小児安全キャップを押し下げなければならないように、前記ねじと協働するように構成される請求項２０に記載のディスペンサ。
【発明の詳細な説明】
【技術分野】
【０００１】
本発明は、広くは液体補給剤の分野に関し、より詳細には液体栄養補給剤を計量するための方法および装置に関する。
【背景技術】
【０００２】
健康を最適に維持するために、多くの人は、ビタミンおよびミネラル補給剤の如き栄養補給剤を服用することを勧められる。これらの補給剤は、典型的には、様々な問題をもたらす丸剤、錠剤またはカプセルの如き固形状である。これらの問題の１つは、固形補給剤は、しばしば咀嚼かつ／または嚥下しにくいことである。加えて、固形補給剤は、しばしば苦く、多くの場合、消費者は複数の丸剤、錠剤またはカプセルを服用しなければならないため、さらに嚥下しにくくなる。より重要なことは、消費者は、服用すべき錠剤の数、およびそれらを服用すべき頻度を忘れることがある。これによって、補給剤の過小服用または過剰服用が生じることがある。
【０００３】
補給剤が液体の形をとることは少ないが、これら液体補給剤も、消費者は補給剤を服用するのに、典型的にはテーブルスプーンまたはティースプーンの如き道具を利用しなければならないため、過小服用または過剰服用をもたらすことがある。これによって、過小服用または過剰服用が生じるばかりでなく、補給剤をこぼしたり、無駄にする可能性がある。液体補給剤を服用するのに用量カップを利用することもできるが、既存の用量カップは、すぐに見つけられないことがある。例えば、消費者がそれを置き間違えたり、食器洗浄機に入っていたり、小児がそれを隠してしまうこともある。
【０００４】
容器のキャップに脱着可能に固定された用量カップは、過去において、極めて多量の細菌を含むことがあり、さらに清潔かつ無菌状態に維持しにくい内部構造を有していた。例えば、米国特許第４，１５０，７６１号では、用量カップは、用量カップとキャップをともに容器から取り外すことができるように、キャップの外側の溝に嵌る多数のリブによって、キャップに脱着可能に固定される。用量カップの軸方向の異動を調節するように、用量カップの内側のさらなる内部構造が設けられる。米国特許第４，２７３，２４７号にも同様の用量カップが示されている。しかし、そこに示されている用量カップは、用量カップをキャップに固定するための止めラグ（ｒｅｔａｉｎｉｎｇ  ｌｕｇ）を備えたカップ鍔、およびカップ鍔（ｃｕｐ  ｃｏｌｌａｒ）をさらに剛化させるための追加的な軸方向リブを有する。
【発明の開示】
【発明が解決しようとする課題】
【０００５】
液体栄養補給剤を計量するための方法および装置が開示され、一人用の用量の所定回数分の液体栄養補給剤を収容する本体と、本体の首部に結合された小児安全キャップの如きキャップと、キャップに結合された用量カップとを有する液体ディスペンサを提供することにある。
【課題を解決するための手段】
【０００６】
用量カップは、各々キャップの軸方向隆起に係合するように構成された係合面を有する少なくとも４つの軸方向肩をその内面に有する。用量カップは、用量カップをキャップから取り外すのに、用量カップの重量より所定の量だけ大きい力を必要とするようにキャップに結合され、利用者が所定の期間に服用する一人用の用量の液体栄養補給剤の一回分を指示するように構成された指示器が用量カップに設けられる。
本発明の他の実施形態によれば、液体栄養補給剤を計量するための方法は、複数の容器を設け、各容器は剥離蓋を有し、一人用の用量（ｓｉｎｇｌｅ  ｄｏｓａｇｅ）の液体栄養補給剤を収容すること、および結合されたすべての容器が、所定期間にわたる必要な全服用量を均等にするように容器を結合させることを含む。
【０００７】
本発明の実施形態は、いくつかの技術的利点を提供する。本発明の実施形態は、これらの利点のすべてまたは一部を含んでいてもよいし、全く含まなくてもよい。１つの技術的利点は、食事補給剤（ｄｉｅｔａｒｙ  ｓｕｐｐｌｅｍｅｎｔｓ）、ビタミン補給剤および関節医療補給剤（ｊｏｉｎｔ  ｃａｒｅ  ｓｕｐｐｌｅｍｅｎｔｓ）等の液体栄養補給剤の服用量を正確に計量できることである。これによって、消費者は、必要な時間毎に正確な量の液体栄養補給剤を摂取していることを確信できる。本発明の一実施形態の他の技術的利点は、小児安全キャップに取りつけられた簡易用量カップを有する、液体栄養補給剤を収容する液体ディスペンサを使用できることである。これにより、利用者は、別の用量カップ、またはテーブルスプーンの如き他の計量具を使用せずにすむ。簡易用量カップは、その内部構造が極めて小さいため、清潔かつ無菌状態に維持するのがはるかに容易になる。さらに、内部の構造が小さくなっていることにより、保管および／または輸送時に安定に維持するのに十分な把持力をキャップに与えながら、小児安全キャップから容易に取り外せるようになる。
【０００８】
他の技術的利点は、以下の図面、説明および請求項から当業者なら容易に理解できる。
【０００９】
本発明がより完全に理解されるために、またさらなる特徴および利点については、添付の図面を併用して以下の説明を提示する。
【発明を実施するための最良の形態】
【００１０】
本発明の例示的な実施形態、およびそれらの利点は、同様の数字が同様の部品を示す図面の図１から６を参照することによって最も良く理解される。
【００１１】
本発明の一実施形態による、液体栄養補給剤を計量する例示的な方法を説明するフローチャートである。図２Ａおよび２Ｂをさらに参照すると、図１の方法は、工程１００で始まり、液体ディスペンサ２００を設ける。液体ディスペンサ２００は、首部２０４を有する本体２０２と、首部２０４に結合された小児安全キャップ２０６と、小児安全キャップ２０６に結合された用量カップ２０８とを含む。本体２０２は、利用者が服用する液体栄養剤を収容する。例示されている実施形態において、本体２０２は、一人用の用量の整数回数分の液体栄養補給剤を含む。
【００１２】
該方法は、工程１０２に進み、小児安全キャップ２０６の外周に複数の軸方向隆起２１６および対応する複数の溝２１７を設ける。工程１０４において、用量カップ２０８の内面に少なくとも４つの軸方向肩２１０を設ける。各軸方向肩２１０は、小児安全キャップ２０６の軸方向隆起２１６に係合するように構成された係合面２１１を有する。工程１０６において、軸方向肩２１０は、小児安全キャップ２０６の軸方向隆起２１６に係合する。したがって、工程１０８で示されるように、用量カップ２０８は、小児安全キャップ２０６から用量カップ２０８を取り外すのに、用量カップ２０８の重量より所定の量だけ大きい力が必要になるように、小児安全キャップ２０６に結合される。用量カップ２０８の重量は、用量カップ２０８の質量に重力加速度を乗じた量によって定められる。本発明の１つの技術的利点は、用量カップ２０８に大きな力を加えなくても、また先行の液体ディスペンサに使用されていたかさ高く複雑なシステムを使用しなくても、用量カップ２０８を小児安全キャップ２０６から容易に取り外すことが可能なことである。用量カップ２０８と小児安全キャップ２０６の相互作用については、図３Ａから３Ｃを併用して、以下にさらに詳細に説明する。
【００１３】
工程１１０において、利用者が液体ディスペンサを容易に操作できるように、本体２０２の首部２０４近傍に一対の対向凹部（ｏｐｐｏｓｅｄ  ｉｎｄｅｎｔａｔｉｏｎｓ）２１２を設ける。対向凹部２１２については、以下により詳細に説明する。工程１１２において、所定の期間に利用者が服用する一人用の用量の液体栄養補給剤の一回分を指示するように構成された少なくとも１つの指示器（ｉｎｄｉｃａｔｏｒ）を用量カップ２０８に設ける。図２Ｂに示すように、指示器は、例えば、一流体オンス指示器（ｏｎｅ  ｆｌｕｉｄ  ｏｕｎｃｅ  ｉｎｄｉｃａｔｏｒ）２１８、または示されている半流体オンス指示器（ｏｎｅ−ｈａｌｆ  ｆｌｕｉｄ  ｏｕｎｃｅ  ｉｎｄｉｃａｔｏｒ）２２０であってもよい。本発明の一実施形態による、利用者のための液体栄養補給剤を計量する１つの例示的な方法はこれで終了する。図４を併用して、液体栄養補給剤を計量する他の例示的な方法を以下に説明する。しかし、図４の説明の前に、図２Ａから３Ｂを併用して、液体ディスペンサ２００を以下により詳細に説明する。
【００１４】
図２Ａおよび２Ｂは、それぞれ本発明の一実施形態に使用される例示的な液体ディスペンサ２００の斜視図および分解図である。図２Ａおよび２Ｂに示すように、液体ディスペンサ２００は、一般に、本体２０２と、キャップ２０６と、用量カップ２０８とを含む。
【００１５】
本体２０２は、図２Ａおよび２Ｂにおいて、本体２０２の上部の首部２０４近傍に凹部２１２が形成された全体的に四角柱の形状を有するものとして示されている。本体２０２は、液体内部に液体栄養補給剤を収容するのに適した他の形状または構成を有することができる。本体２０２内部に収容される液体栄養補給剤は、食事補給剤、ビタミン補給剤、関節医療補給剤、カルシウム補給剤、ビタミンＥ補給剤または他の好適な補給剤の如き任意の好適な液体栄養補給剤でありうる。例として、関節医療補給剤は、グルコサミン、コンドロイチン、ＭＳＭおよびコラーゲンよりなる。本体２０２は、一実施例において、ＨＤＰＥの如きポリマーから形成されるが、本体２０２を他の好適な材料から形成することもできる。本体２０２の内容積は、一人用の用量の所定回数分の液体栄養補給剤を保持するのに適した任意の用量でありうる。上述したように、一実施形態において、本体２０２は、一人用の用量の整数回数分の液体栄養補給剤を収容する。
【００１６】
凹部２１２は、任意の好適な大きさ、形状および輪郭を有することができる。一般に、凹部２１２は、凹部の一方が利用者の親指の全体形状に適合し、他方が利用者の人差し指に適合するように設計される。本体２０２に任意の数の凹部を形成することができる。凹部２１２は、輸送または使用時、特に液体を分配するときに液体ディスペンサ２００の操作を容易にする。
【００１７】
首部２０４は、任意の好適な構成を有することができ、典型的には、その上に形成された少なくとも１つのねじ２１４を有する。ねじ２１４は、キャップ２０６の内ねじ（明示されず）を受けて、２０６を本体２０２にしっかりと結合するように構成される。首部２０４は、任意の好適な長さおよび任意の好適な直径を有することができる。首部２０４は、典型的には、本体２０２に一体的に形成されているが、他の好適な様式で首部２０４を本体２０２に結合してもよい。首部２０４は、典型的には、ポリマーまたは他の好適な材料でありうる本体２０２と同じ材料から形成される。
【００１８】
キャップ２０６は、首部２１４に結合するように構成される。液体ディスペンサ２００に任意の好適なキャップを利用できるが、例示されている実施形態では、キャップ２０６は小児安全キャップである。小児安全キャップは、小児または精神薄弱者が、キャップを取り外し、液体ディスペンサの内容物に触れることを防ぐ役割を果たす。本発明の脈絡において、小児安全キャップは、キャップをボトルから取り外すのに単に捩り作用以上の作用を必要とするキャップである。例えば、図２Ａおよび２Ｂに示すように、キャップ２０６は、利用者が、キャップ２０６を回転させて取り外すのにキャップ２０６を押し下げなければならないように、首部２０４上のねじ２１４と協働するように構成される。利用者は、キャップ２０６を押し下げ、次いでそれを首部２０４から取り外せるように回転させる。本発明により、他の好適な小児安全キャップも考えられる。
【００１９】
図２Ｂに示されるように、キャップ２０６は、その外周に複数の軸方向隆起２１６、および複数の対応溝２１７を有する。しかし、キャップ２０６は、刻み付き表面、平滑表面、または他の好適な表面の如き他の好適な外面を有することもできる。キャップ２０６は、ポリマーまたは他の好適な材料の如き任意の好適な材料から形成され、任意の好適な大きさおよび構成を有することができる。
【００２０】
用量カップ２０８は、キャップ２０６から用量カップ２０８を取り外すのに、用量カップ２０８の重量より所定の量だけ大きい力が必要になるように、キャップ２０６に結合される。用量カップ２０８は、一実施形態において、ポリプロピレンの如きポリマーから形成されるが、用量カップ２０８を他の好適な材料から形成することもできる。加えて、用量カップ２０８は、透明、半透明または不透明でありうる。用量カップ２０８は、また、任意の好適な構成を有することができる。一実施形態において、用量カップ２０８の壁の形状および構成は、滑らかで魅力的な外観が達成できるように、本体２０２の上部の全体形状に合うようになっている。図２Ａおよび２Ｂに明示されていないが、梱包、出荷および展示を目的として、収縮ラップを液体ディスペンサ２００の外面に結合することができる。加えて、収縮ラップは、液体ディスペンサ２００の移動時に用量カップ２０８がキャップ２０６への結合を維持するようにする。
【００２１】
用量カップ２０８は、上述したように、用量カップ２０８のキャップ２０６への結合を容易にする少なくとも４つの軸方向肩２１０を含む。用量カップ２０８とキャップ２０６の相互作用については、図３Ａから３Ｃを併用して以下により詳細に説明する。また、上述したように、用量カップ２０８は、本体２０２の内部の液体栄養補給剤の一人用の用量を指示する１つまたは複数の指示器２１８、２２０をも有する。上述したように、指示器２１８は、一流量オンス指示器で、指示器２２０は、半流量オンス指示器である。他の好適な指示器を利用することもでき、これらの指示器は、正確な用量が得られることを保証するための任意の好適な標示を有することができる。本発明の１つの技術的利点は、本体２０２は、一人用の用量の整数回数分の液体栄養補給剤をその内部に収容し、用量カップは、本体２０２内の液体栄養補給剤の一人用の用量を指示する指示器２１８、２２０を有することである。その技術的利点を例示すると、本体２０２が１６オンスの液体栄養補給剤を収容し、指示器２１８が一流量オンス指示器であれば、利用者は、一日当たり一人用の用量を服用する必要があれば、毎日、用量カップ２０８および対応指示器２１８を使用して、本体２０２内部の一流量オンスの液体栄養補給剤を服用することになるため、１６日間で本体２０２の中身を使い切ることを確信する。
【００２２】
図３Ａは、液体ディスペンサ２００の上部の断面図で、図３Ｂは、本体２０２とキャップ２０６と用量カップ２０８の相互作用をより詳細に示すキャップ２０６および用量カップ２０８の断面図である。図３Ａおよび３Ｂに示すように、肩２１０は、係合面２１１を介して、キャップ２０６上の軸方向隆起２１６に係合して、用量カップ２０８をキャップ２０６に結合する。上述のように、用量カップ２０８は、利用者が、用量カップ２０８をキャップ２０６から取り外すのに、用量カップ２０８の重量より所定の量だけ大きい力を用量カップ２０８に加えればよいように、用量カップ２０８をキャップ２０６に結合する。これは、キャップ２０６の軸方向隆起２１６の外径よりわずかに小さい直径を有する円と一致する用量カップ２０８の係合面２１１を有することによって促進される。換言すれば、用量カップ２０８をキャップ２０６に結合したときに、軸方向肩２１０の係合面２１１上の直径対向する点の間の距離は、軸方向隆起２１６の外面の直径よりわずかに小さくなる。この種の力の適合によって、本体２０２内のある用量の液体栄養補給剤を服用する必要があるときに利用者が用量カップ２０８を容易に取り外すことが可能になるとともに、保管時および／または輸送時にそれを安定に維持するのに十分な把持力が係合面２１１と軸方向隆起２１６の間に与えられる。
【００２３】
一実施形態において、係合面２１１のテーパを軸方向隆起２１６のテーパに実質的に一致させることによって十分な把持力が得られる。テーパを実質的に一致させると、係合面２１１が、軸方向隆起２１６に接触して、より大きな摩擦力を与えることが可能になる。図３Ｃに示すように、係合面２１１は、用量カップ２０８の基部３０３近傍から始まり、用量カップ２０８の壁に向かって細くなる。一実施形態において、（アルファ３０５で示される）テーパの角度は１度であるが、他の好適なテーパも利用できる。
【００２４】
再び図３Ａを参照すると、用量カップ２０８は、本体２０２の上部３００まで下方に伸びる長さを有する。しかし、用量カップ２０８は、他の好適な長さを有することもできる。加えて、用量カップ２０８の外面は、収縮ラップを液体ディスペンサ２００に貼ることができるように、全体的に本体２０２の外面３０２に合致する。特定の実施形態において、用量カップ２０８の壁の外面は、本体２０２の上部３００のテーパに実質的に一致するテーパを含む。
【００２５】
本発明の１つの技術的利点は、用量カップ２０８の内面には、軸方向肩２１０の他に凸部がないことである。これは、利用者が用量カップ２０８を清潔かつ無菌状態に維持することをはるかに容易にすることによって、そのなかに収容される液体栄養補給剤のメリットを損なう汚染用量カップ２０８の悪影響を低減するものである。加えて、その内面にそのような構造をほとんど有さない用量カップ２０８は、よりコスト効率の良い製造を容易にする。
【００２６】
図４は、本発明の一実施形態による、液体栄養補給剤を計量する例示的な方法を説明するフローチャートである。工程４００において、各々の容器が一人用の用量の液体栄養補給剤を収容する複数の容器を設ける。工程４０２において、結合されるすべての容器が、所定期間にわたって必要とされる利用者の全服用量に匹敵するように、容器を互いに結合させる。例えば、１つの容器を一週間の各曜日に対応させて、７つの容器を互いに結合させることができる。任意の好適な容器を利用できる。図４に概略的に示された２つの当該容器の例を、図５および６を併用して以下に説明する。
【００２７】
図５は、各袋５００が一人用の用量の液体栄養補給剤を収容する複数の袋５００を互いに結合させることによる図４の方法の例を示す図である。上述したように、この液体栄養補給剤は、食事補給剤、ビタミン補給剤、関節医療補給剤、カルシウム補給剤またはビタミンＥ補給剤の如き任意の好適な液体栄養補給剤でありうる。各袋５００は、その間に穴５０６が設けられた本体部５０２と上部５０４を有する。本体部５０２は、一人用の用量の液体栄養補給剤を収容する。利用者が穴５０６を介して上部５０４を引きはがすことによって液体栄養補給剤に触れられる。上部５０４に形成された穴を利用して、袋５００を容易に接触できるように保管することができる。袋５００は、任意の好適な材料から形成することができ、任意の好適な構成で形成することができる。袋の側面に沿って結合されるものとして示されているが、袋５００を任意の好適な様式で互いに結合させることができる。図５には７つの袋が示され、そこでは一週間の各曜日に対して一人用の用量を指示している。しかし、本発明では、任意の数の袋５００を互いに結合させることが考えられる。例えば、一人用の用量の二週間分の供給に対して１４個の袋５００を互いに結合させてもよいし、一人用の用量の一カ月分の供給に対して３０個の袋５００を互いに結合させてもよい。チップ・ボードを使用して、袋５００を互いに結合させることができる。
【００２８】
図６は、各々の容器６００が一人用の用量の液体栄養補給剤を収容する、剥離蓋６０４を有する複数の容器６００を互いに結合させることによる図４の方法の他の例を示す図である。容器６００に収容される液体栄養補給剤は、上述の栄養補給剤の如き任意の好適な液体栄養補給剤でありうる。図６に示される方法は、図５に示される方法と類似しているが、容器６００は「コーヒー・クリーマ」に類似しているという点において、容器の種類が異なる。各容器６００は、剥離蓋６０４が結合された本体部６０２を含む。容器６００を任意の好適な様式で互いに結合させることができ、図６に示されるものと異なる構成とすることもできる。ここでも、図６には、例えば一週間の各曜日に対して一人用の用量を指示するように７つの容器６００が示されている。
【００２９】
本発明の実施形態およびその利点が詳細に説明されているが、当業者は、添付の請求項に定められる本発明の主旨および範囲から逸脱することなく、様々な変更、追加および省略を行うことが可能である。
【図面の簡単な説明】
【００３０】
【図１】本発明の一実施形態による、液体栄養補給剤を計量する例示的な方法を説明するフローチャートである。
【図２Ａ】本発明の一実施形態に使用される例示的な液体ディスペンサの斜視図である。
【図２Ｂ】本発明の一実施形態に使用される例示的な液体ディスペンサの分解図である。
【図３Ａ】図２Ａおよび２Ｂの液体ディスペンサの小児安全キャップおよび用量カップの垂直方向断面図である。
【図３Ｂ】図３Ａの３Ｂ−３Ｂ線に沿う水平方向断面図である。
【図３Ｃ】図３Ａの３Ｃで示す部分の垂直方向断面図である。
【図４】本発明の一実施形態による、液体栄養補給剤を計測する例示的な方法を示すフローチャートである。
【図５】各々の袋が一人用の用量の液体栄養補給剤を収容する複数の袋を互いに結合させることによる図４の方法の例を示す図である。
【図６】各々の容器が一人用の用量の液体栄養補給剤を収容する、剥離蓋を有する複数の容器を互いに結合させることによる図４の方法の他の例を示す図である。
【図１】
2005532235.tif 000003
【図２Ａ】
2005532235.tif 000004
【図２Ｂ】
2005532235.tif 000005
【図３Ａ】
2005532235.tif 000006
【図３Ｂ】
2005532235.tif 000007
【図３Ｃ】
2005532235.tif 000008
【図４】
2005532235.tif 000009
【図５】
2005532235.tif 000010
【図６】
2005532235.tif 000011
【国際調査報告】
2005532235.tif 000012
2005532235.tif 000013
2005532235.tif 000014
2005532235.tif 000015
2005532235.tif 000016